(57)【要約】      （修正有）【課題】既存の固定型構造をそのまま維持しながらも、自由に左、右の３６０度フル回転が連続的にできるＬＣＤモニター用回転型スタンドを提供する。【解決手段】スタンドは、一定の長さを有するパイプ状で、上端にＬＣＤモニターが固定設置される棒部材１０と；棒部材の一定の高さを有する地点に装着され、棒部材とともに連動回転される回転ベアリング７０と；ＬＣＤモニターが設けられるテーブル１００の上に固定され、テーブルの取り付け孔を貫通するパイプ状の挿入部３２、及び挿入部の上側にフランジ形で形成された状態で、中央に回転ベアリングが安着される支持部３４からなり、挿入部と支持部は、挿入部における内周面の上側と、支持部の外周面に相互対応するネジ山構造によって結合または分離可能に形成された安着部材と；棒部材が貫通された状態で安着部材に被せられるカバー部材５０と、で構成される。 【選択図】図７
0003230908.tif 000002
【実用新案登録請求の範囲】
【請求項１】
ＬＣＤモニターが上端に固定された状態で取り付け孔が穿孔されたテーブルに設けられて選択的に回転可能に提供されるものであって；
一定の長さを有するパイプ状であって、その上端にＬＣＤモニターが固定設置される棒部材と；
前記棒部材の一定の高さを有する地点に装着され、当該棒部材とともに連動回転される回転ベアリングと;
ＬＣＤモニターが設けられるテーブルの上に安着固定されるものであって、そのテーブルの取り付け孔を貫通するパイプ状の挿入部、及び前記挿入部の上側にフランジ形で拡張形成された状態で、その中央に前記回転ベアリングが安着されて回転支持される支持部からなり、
前記挿入部及び支持部は、前記挿入部における内周面の上側と、その対応する支持部の外周面に相互対応するように形成されたネジ山構造によって選択的に結合または分離可能に形成された安着部材と;
前記棒部材が貫通された状態で、前記回転ベアリングが安着された安着部材に被せられるカバー部材と、を含んで構成され;
前記回転ベアリングが装着される棒部材において一定の高さを有する地点には、回転ベアリングの装着位置を制限するようにその直径が縮小された形で、第１の段差が形成されるとともに、前記回転ベアリングの装着位置の下側に当該する棒部材の外周面に沿っては、スナップリングが固定設置されるスナップリング取付溝が凹入形成されて構成され、
前記安着部材の挿入部内には、前記定着部材を貫通したパイプの回転時、その回転軸を支持するための一対の支持ベアリングが挿入管を媒介として一定間隔離隔された状態で設けられて構成されること；を特徴とするＬＣＤモニター用回転型スタンド。
【請求項２】
前記カバー部材の内部における上側には、前記回転ベアリングの外観形状と対応するように、第１の円形溝が形成され、その下側には、前記安着部材の支持部の外観形状と対応するように第２の円型溝が形成されて構成されることを特徴とする請求項１に記載のＬＣＤモニター用回転型スタンド。
【請求項３】
前記カバー部材における第２の円型溝の天井部には、複数のネジ締結孔が穿孔されて、前記安着部材の支持部におけるネジ締結孔を貫通したネジが前記第２の円型溝の天井部に締結されるように構成されることを特徴とする請求項１に記載のＬＣＤモニター用回転型スタンド。
【請求項４】
前記安着部材の挿入部において下端の外周面にはネジ山が形成され、前記テーブルの取り付け孔を貫通した挿入部のネジ山には、リング状の固定部材が締結されて構成されることを特徴とする請求項１に記載のＬＣＤモニター用回転型スタンド。
【考案の詳細な説明】
【技術分野】
【０００１】
本考案は、ＬＣＤモニター用回転型スタンドに関するものであって、より詳細には、パイプ状のスタンドを媒介として、テーブルなどに設けられるＬＣＤモニターを使用環境に応じて、ユーザが自由に回転させることができるようにしたＬＣＤモニター用回転型スタンドに係るものである。
【背景技術】
【０００２】
一般的に、ＬＣＤモニターは、所定形状のフレーム内にＬＣＤモジュールが内蔵された状態で、外部から転送された所定映像を前面のＬＣＤパネルを介してディスプレイさせるように構成される。
【０００３】
前記ＬＣＤモニターにおいて、スタンド状で固定される広告用液晶モニター、またはカジノのポーカーテーブルやルーレット用液晶モニターの場合、略パイプ状を有するスタンドの上端にモニターが固定設置された構造からなる。
【０００４】
このとき、効率的な情報伝達のために一面、または両面、または多面にディスプレイ画面が提供される従来のＬＣＤモニターがテーブルの上に設けられて提供されるものにおいては、固定された一側方向にのみ情報伝達が可能であるので、ユーザはモニターの自由な左、右の回転を通じた多様な方向からの情報伝達を求める実情である。
【０００５】
しかし、上述したように、テーブルの上にスタンドを媒介として固定設置する従来のＬＣＤモニターは、左、右方向への回転のために複雑な構造を有する別途の回転装置を備えなければならないという問題点が発生した。
【０００６】
特に、前記スタンドの上端に固定されるＬＣＤモニターの場合は、１０乃至２０ [ｋｇ]程度の荷重を有するため、それ以上の荷重を耐えることができる頑丈な構造を必要とするようになると共に、ユーザの要求に応じて左、右の３６０度フル回転が可能でありながら、テーブルの上に設けられた状態で、空間的に及び視覚的にも優れた回転体を必要とすることになるだろう。
【考案の概要】
【考案が解決しようとする課題】
【０００７】
したがって、本考案は、前記のような従来の問題点を改善するために案出されたものであって、その目的は、テーブルの上にスタンドを媒介として設けられるＬＣＤモニターに特定構造の回転体を適用させて、既存の固定型構造をそのまま維持しながらも自由に左、右の３６０度フル回転が連続的にできるようにしたＬＣＤモニター用回転型スタンドを提供しようとするものである。
【課題を解決するための手段】
【０００８】
前記のような目的を達成するための本考案に係るＬＣＤモニター用回転型スタンドは、ＬＣＤモニターが上端に固定された状態で取り付け孔が穿孔されたテーブルに設けられて、選択的に回転可能に提供されるものであって；一定の長さを有するパイプ状からなり、その上端にＬＣＤモニターが固定設置される棒部材と；前記棒部材の一定の高さを有する地点に装着されて、当該棒部材と共に連動回転される回転ベアリングと；ＬＣＤモニターが設けられるテーブルの上に安着固定されるものであって、当該テーブルの取り付け孔を貫通するパイプ状の挿入部、及び前記挿入部の上側にフランジ形で拡張形成された状態で、その中央に前記回転ベアリングが安着されて回転支持される支持部からなるが、前記挿入部及び支持部は、前記挿入部における内周面の上側とそれと対応される支持部の外周面に相互対応するように形成されたネジ山構造により選択的に結合または分離可能に形成された安着部材と；前記棒部材が貫通された状態で前記回転ベアリングが安着された安着部材に被せられるカバー部材と、を含んで構成されており；前記回転ベアリングが装着される棒部材の一定の高さを有する地点には、回転ベアリングの装着位置を制限するように、その直径が縮小された形で第１の段差が形成されるとともに、前記回転ベアリングの装着位置の下側に対応する棒部材の外周面に沿ってはスナップリングが固定設置されるスナップリング取付溝が凹入形成されて構成され；前記安着部材の挿入部の内には、前記定着部材を貫通したパイプの回転時、その回転軸を支持するための一対の支持ベアリングが挿入管を媒介として一定間隔離隔された状態で設けられて構成されることを特徴とする。
【考案の効果】
【０００９】
前記で説明したように構成された本考案によると、テーブルの上にスタンドを媒介として設けられる一面、両面、または多面からなるＬＣＤモニターに特定構造の回転体を適用させることによって、従来の固定型からなるＬＣＤモニターのスタンド構造をそのまま維持しながらも、ユーザの所望する方向にモニターを左、右の３６０度で連続的にフル回転させることができる効果があるようになる。
【００１０】
特に、ＬＣＤモニターを回転させるための回転体は、高重量の産業用液晶モニターの荷重を十分に耐えることができる頑丈な構造となるとともに、スムーズに自然な回転が行われ、また、装着、及び解体が容易な構造となるなど、非常に優れた品質で具現され、ユーザの満足度を最大化させることができる効果がある。
【図面の簡単な説明】
【００１１】
【図１】本考案の一実施形態に係るＬＣＤモニター用回転型スタンドの構成を示す斜視図である。
【図２】本考案の一実施形態に係るＬＣＤモニター用回転型スタンドの構成を示す分離斜視図である。
【図３】本考案の一実施形態に係るＬＣＤモニター用回転型スタンドの構成を示す正断面図である。
【図４ａ】本考案の一実施形態に係るＬＣＤモニター用回転型スタンドの使用状態を示す断面図である。
【図４ｂ】同上。
【図５ａ】本考案の一実施形態に係るＬＣＤモニター用回転型スタンドの使用状態を示す斜視図である。
【図５ｂ】同上。
【図６】本考案の他の実施形態に係るＬＣＤモニター用回転型スタンドの構成を示す斜視図である。
【図７】本考案の他の実施形態に係るＬＣＤモニター用回転型スタンドの構成を示す分離斜視図である。
【図８】本考案の他の実施形態に係るＬＣＤモニター用回転型スタンドの構成を示す正断面図である。
【符号の説明】
【００１２】
１０：棒部材
１２：取付板
１４ａ：第１の段差
１４ｂ：第２の段差
１６：スナップリング取付溝
１８、２８、３８、５８：ネジ締結孔
２０：回転部材
２２：ガイド溝
３０：定着部材
３２：挿入部
３２ａ：ネジ山
３３：支持ベアリング安着部
３４：支持部
３５：回転ベアリング安着部
３６：ベアリング取付溝
３９：加圧ネジ
４０：ベアリング
５０：カバー部材
５２：貫通孔
５４：第１の円型溝
５６：第２の円型溝
５９：開放口
５９ａ：栓
６０：固定部材
７０：回転ベアリング
７２：スナップリング
８０：支持ベアリング
８２：挿入管
１００：テーブル
１１０：取り付け孔
２００：ＬＣＤモニター
３００：照明装置
【考案を実施するための形態】
【００１３】
以下、前記のように構成された本考案について添付図面を参照して詳細に説明する。
【００１４】
まず、本考案に係るＬＣＤモニター用回転型スタンドは、所定テーブルの上にスタンドを媒介として設けられるＬＣＤモニターに特定構造の回転体を適用させて、ユーザが自由に当該モニターを左、右の３６０度を連続的にフル回転させることができるように具現される。
【００１５】
このため、図１乃至図３に示される本考案の一実施形態に係るＬＣＤモニター用回転型スタンドは、略パイプ状で構成されて、その上端に一面構造、両面構造、または多面構造のＬＣＤモニター２００が結合される棒部材１０に、特定構造からなる回転部材２０、安着部材３０、カバー部材５０、及び固定部材６０などが選択的に装着され、取り付け孔１１０が穿孔されたテーブル１００の上に設けられて回転機能を付与するように構成される。
【００１６】
前記棒部材１０は、一定の長さと直径を有するパイプ状からなり、その上端には、多様なサイズと規格とを有する少なくとも１つ以上のＬＣＤモニター２００が設けられるように、様々な構造で取付板１２が一体に形成されて構成され、一定の高さを有する地点の外周面には、前記回転部材２０の結合のために複数個のネジ締結孔１８が形成されて構成される。
【００１７】
前記回転部材２０は、略リング状であって、その外周面には複数個のネジ締結孔２８が貫通形成され、前記棒部材１０の一定の高さを有する地点にネジ締結を通じて固定結合され、前記棒部材１０と共に連動回転するように構成され、この時、前記回転部材２０の下面にはベアリング４０の上部に容易に安着回転されるように円型のガイド溝が形成されて構成される。
【００１８】
前記安着部材３０は、当該ＬＣＤモニター２００が設けられるテーブル１００の上に安着固定されて支持されるものであって、そのテーブル１００の取り付け孔１１０を貫通するパイプ状の挿入部３２と、前記挿入部３２の上側に略フランジ形に拡張形成され、一定の直径の円形状をなして、前記回転部材２０が、その上面に安着回転されるようにする支持部３４と、を含んで構成される。
【００１９】
この時、前記安着部材３０の挿入部３２の外周面には、前記固定部材６０の締結のためのネジ山３２ａが形成され、前記安着部材３０の支持部３４の上面には、一定の深さに円型のベアリング取付溝３６が形成され、前記ベアリング取付溝３６の内には、対応する円型のベアリング４０が設けられてその上部に安着される前記回転部材２０に対して円滑な回転力を提供できるように構成される。
【００２０】
また、前記安着部材３０の支持部３４における下面の周縁部分に沿っては、前記カバー部材５０とのネジ結合のための複数個のネジ締結孔３８が穿孔されて構成される。
【００２１】
前記カバー部材５０は、棒部材１０が貫通した状態で、前記回転部材２０が安着された安着部材３０に被せられて、当該回転体の全体がすっきりとした外観を有するように提供されるものであって、前記カバー部材５０は、その下面が開放された略円筒状からなり、その上面の中央には、前記棒部材１０が貫通される貫通孔５２が形成されて構成される。
【００２２】
また、前記カバー部材５０の内部上側には、前記回転部材２０の外観形状と対応するように第１の円型溝５４が形成され、その下側には、前記安着部材３０の支持部３４の外観形状と対応するように第２の円型溝５６が形成されて構成され、前記第２の円型溝５６の天井部には、複数個のネジ締結孔５８が穿孔されて、前記安着部材３０の支持部３４のネジ締結孔３８を貫通したネジが前記第２の円型溝５６の天井部に締結されることによって、前記回転部材２０が内蔵された状態で安着部材３０とカバー部材５０とが一体に強固な結合状態を維持するように構成される。
【００２３】
前記カバー部材５０の外周面には、前記第１の円型溝５４と連通するように一個または複数個の開放口５９が形成され、前記開放口５９を介して前記棒部材１０に結合された回転部材２０のネジを締めたり緩めたりできるようになり、この時、前記開放口５９は、対応する形の栓５９ａによって仕上げされてすっきりとした外観を有するように構成される。
【００２４】
前記固定部材６０は、その内周面にネジ山が形成された略リング状であって、前記テーブル１００の取り付け孔１１０を貫通した安着部材３０の挿入部３２における外周面のネジ山３２ａに締結結合されて、前記棒部材１０と、それと一体に結合された安着部材３０と、回転部材２０と、カバー部材５０と、を強固に取り締まる役割を行うように構成される。
【００２５】
一方、図６乃至図８に示すように、ＬＣＤモニター用回転型スタンドの他の実施形態によって、その上端にはＬＣＤモニター２００が設けられる棒部材１０の一定の高さを有する地点には、その棒部材１０と共に連動回転される回転ベアリング７０が抑止嵌合式で堅固に装着されて構成される。
【００２６】
前記回転ベアリング７０は、トラストボールベアリングからなり、当該棒部材１０の円滑な回転が可能なように作用し、この時、前記棒部材１０の一定の高さを有する地点には、前記回転ベアリング７０の装着位置を制限するように、その直径が縮小された形で、第１の段差１４ａが形成されて構成される。
【００２７】
前記回転ベアリング７０の装着地点の下側に該当する前記棒部材１０の外周面に沿ってはスナップリング７２が固定設置されるスナップリング取付溝１６が凹入形成されて構成され、前記スナップリング７２を設けることによって前記回転ベアリング７０の任意の離脱が防止されるとともに、前記棒部材１０を含む構造物が上側に離脱することを防止できる。
【００２８】
前記安着部材３０は、当該ＬＣＤモニター２００が設けられるテーブル１００の上に固定された状態で、前記棒部材１０が貫通設置されるものであって、前記テーブル１００の取り付け孔１１０を貫通するパイプ状の挿入部３２と、前記挿入部３２の上側に略フランジ形に拡張形成され、その断面が略「┳」形状をなして上部に前記回転ベアリング７０が安着される支持部３４と、を含んで構成される。
【００２９】
前記棒部材１０が貫通される前記安着部材３０の支持部３４における内周面には、前記回転ベアリング７０が安着固定されるように回転ベアリング安着部３５が突出形成されて構成される。
【００３０】
本考案の他の実施形態において、前記安着部材３０の支持部３４及び挿入部３２は、前記挿入部３２の内周面の上側と、その対応する支持部３４の外周面に相互対応するように形成されたネジ山構造と、によって選択的に結合または分離可能な構造で形成される。
【００３１】
そして、前記挿入部３２の内部には、前記安着部材３０を貫通した棒部材１０の回転時、その軸を支持するように一対の支持ベアリング８０が内蔵されて構成され、前記一対の支持ベアリング８０は、パイプ状である挿入管８２を介して一定間隔離隔された状態で設けられるように構成される。
【００３２】
また、前記棒部材１０の下端が貫通される挿入部３２の底面には、下側に設けられる支持ベアリング８０が安着される支持ベアリング安着部３３が形成されて構成される。
【００３３】
前記一対の支持ベアリング８０は、単列深溝ボールベアリングからなる方が好ましく、前記支持ベアリング８０の外周面及び前記挿入部３２の内周面、前記支持ベアリング８０の内周面及び前記棒部材１０の外周面などは、相互に対応する寸法を有するように構成されて、相互間の強固な密着状態を維持して遊びによる任意的な流動を防止するようになる。
【００３４】
図面符号１４ｂは、前記棒部材１０の一定の高さを有する地点に形成され、前記一対の支持ベアリング８０のうち、上側に位置する支持ベアリング８０の装着位置を制限するように、その直径が縮小された形態で形成された第２の段差を示す。
【００３５】
また、図面符号３９は、ネジ山構造により前記挿入部と支持部との結合時に、その締結状態が強固に維持されるように提供される加圧ネジを示す。
【００３６】
そして、前記安着部材３０の挿入部３２における外周面には、固定部材６０の締結のためにネジ山３２ａが形成され、前記支持部３４の下面の周縁部分に沿っては、前記カバー部材５０とのネジ結合のための複数個のネジ締結孔３８が穿孔されて構成される。
【００３７】
前記カバー部材５０は、前記回転ベアリング７０が装着された棒部材１０が貫通した状態で前記安着部材３０に被せられて構造物の全体がすっきりとした外観を有するように提供されるものであって、前記カバー部材５０は、その下面が開放された略円筒状からなり、その上面の中央には、前記棒部材１０が貫通される貫通孔５２が形成されて構成される。
【００３８】
また、前記カバー部材５０における内部の上側には、前記回転ベアリング７０の外観形状と対応するように、第１の円型溝５４が形成され、その下側には、前記安着部材３０の支持部３４の外観形状と対応するように第２の円型溝５６が形成されて構成される。
【００３９】
前記第２の円型溝５６の天井部には、複数個のネジ締結孔５８が穿孔されて、前記安着部材３０の支持部３４におけるネジ締結孔３８を貫通したネジが前記第２の円型溝５６の天井部に締結されるように構成される。
【００４０】
前記固定部材６０は、その内周面にネジ山が形成された略リング状であって、そのテーブル１００の取り付け孔１１０を貫通した前記安着部材３０の挿入部３２における外周面のネジ山３２ａに締結結合されるように提供される。
【００４１】
図面符号３００は、前記棒部材１０の一定の地点に設けられて選択的に動作され、前記ＬＣＤモニター２００が設けられる棒部材１０に審美感を提供する照明装置を示す。
【００４２】
続いて、前記のように構成された本考案の作用について詳細に説明すると、次の通りである。
【００４３】
本考案の一実施形態に係るＬＣＤモニター用回転型スタンドは、前記棒部材１０の上端に取付板１２を媒介として一面、両面、または多面にＬＣＤモニター２００が設けられた状態でカジノテーブルの上面などに設置され、当該モニターを支持するようになる。
【００４４】
この時、まず、前記カバー部材５０が棒部材１０の下端によって貫通結合された状態で、その下側の一定の高さを有する地点には、前記回転部材２０が固定結合され、その下側には、前記安着部材３０が貫通結合される。
【００４５】
そこで、前記回転部材２０の上側と下側には、それぞれカバー部材５０及び安着部材３０が位置された状態で、前記安着部材３０の各ネジ締結孔３８とカバー部材５０の各ネジ締結孔５８とが連通された状態で、複数本のネジを締結することによって、前記棒部材１０の一定の高さを有する地点には、前記回転部材２０が内蔵された状態でベアリング４０が設けられた安着部材３０及びカバー部材５０が一体型ボディをなし、この時、前記棒部材１０は、前記ベアリング４０上で回転される回転部材２０を媒介として自由に左、右の３６０度回転可能な状態になる。
【００４６】
その後、前記棒部材１０と一体型ボディをなす安着部材３０の挿入部３２を当該ＬＣＤモニター２００を設けようとするテーブル１００の取り付け孔１１０に貫通させた後、その外周面に前記固定部材６０を締結することによって、前記棒部材１０の上端のＬＣＤモニター２００は、前記棒部材１０に固定された回転部材２０を媒介として当該テーブル１００の上に回転可能な状態で設置されることができるようになる。
【００４７】
この際、前記ＬＣＤモニター２００が設けられた棒部材１０は、前記安着部材３０及びカバー部材５０のネジ結合と、固定部材６０の締結と、を介して上側方向への離脱が防止されるとともに、任意の揺れが防止されて強固な固定状態を維持することができるようなり、また、当該テーブル１００の上部には、前記カバー部材５０の外面のみが露出された状態になるので、結合部位などが隠蔽された状態ですっきりとした外観を表すことができるようになる。
【００４８】
よって、ユーザは選択的に棒部材１０に外力を印加することによって、手軽に該当ＬＣＤモニター２００を左、右の３６０度の所望の方向に自由に連続回転させることができるようになる（図４ｂ及び図５ｂ参照）。
【００４９】
一方、前記ＬＣＤモニター用回転型スタンドは、本考案の他の実施形態に基づいて、カジノ用テーブル１００の上面に設置された安着部材３０の支持部３４と、カバー部材５０が結合形成する空間部内の棒部材１０とには、前記回転ベアリング７０及びスナップリング７２が堅固に装着されて提供される。
【００５０】
この時、前記スナップリング７２は、当該棒部材１０のスナップリング取付溝１６に強固に固定された状態で、前記回転ベアリング７０の離脱を防止するように作用するとともに、前記棒部材１０が外力によって上側に離脱することを防止する機能を行うようになる。
【００５１】
また、前記カジノ用テーブル１００の下面に設けられた安着部材３０の挿入部３２内に位置する棒部材１０において、一定の高さを有する地点には一対の支持ベアリング８０が前記挿入管８２を媒介として一定間隔離隔された状態で装着されて提供される。
【００５２】
よって、ユーザが当該ＬＣＤモニター２００を回転させるために、前記棒部材１０に選択的に外力を印加すると、前記棒部材１０は、一定の高さを有する地点に装着されたトラストボールベアリングからなる前記回転ベアリング７０の作用により左、右の３６０度、所望の方向にスムーズに回転することができるようになる。
【００５３】
この際、前記棒部材１０の下端側には、前記安着部材３０の挿入部３２に内蔵された一対の支持ベアリング８０が結合された構造なので、前記棒部材１０の回転時、当該棒部材１０が形成する回転軸は、前記一対の支持ベアリング８０を介して常に垂直状態を維持するように支持され、これに前記棒部材１０が形成する回転軸の任意の揺れによる各部品の摩耗、及び棒部材１０の不安定な回転が防止されるようになる。
【００５４】
一方、本考案の一実施形態、及び他の実施形態に係るＬＣＤモニター用回転型スタンドに適用される液晶モニターには、より円滑な回転のためにデータ転送ケーブルを除去することができるように、モバイルベースの小型コンピュータボードが内蔵される方が望ましく、また、これにより、前記棒部材１０の内には、電源ケーブルのみが連結された単純な構造が適用されることができるようになる。
【００５５】
また、前記テーブル１００における取り付け孔１１０の下部に位置する前記棒部材１０の下端側に所定のギア構造を適用した後、手動ハンドルまたは自動モーターなどを連結することにより、当該ＬＣＤモニター２００のより円滑な回転を具現することもできるようになる。
【００５６】
以上では、本考案の好ましい実施形態について図示して説明したが、本考案は、上述した特定の実施形態に限らず、請求範囲で請求する本考案の要旨を脱しない範囲で、当該考案の属する技術分野における通常の知識を有する者により、様々な変形及び修正が可能なことはもちろん、このような変形および修正考案は、本考案の技術的思想や展望から個別的に理解されてはならない。
【図１】
0003230908.tif 000003
【図２】
0003230908.tif 000004
【図３】
0003230908.tif 000005
【図４ａ】
0003230908.tif 000006
【図４ｂ】
0003230908.tif 000007
【図５ａ】
0003230908.tif 000008
【図５ｂ】
0003230908.tif 000009
【図６】
0003230908.tif 000010
【図７】
0003230908.tif 000011
【図８】
0003230908.tif 000012